(57)【要約】      （修正有）【課題】追い焚きと暖房とを並行して行う場合において、不快と感じる暖房温度の変動を少なくする。【解決手段】給湯制御部４２は、浴水追い焚き装置８０による追い焚きと、暖房装置６０、７０による暖房とを並行して行う状況において、暖房装置６０、７０が設定温度を維持できない場合は暖房装置６０、７０への加熱を抑えるようにしている。  これによれば、追い焚きと暖房とを並行して行う場合において、例えば追い焚き開始時の浴水温度が低く、１次側の湯が熱交換器３０の追い焚き用熱交換部３２を加熱しながら通過した時点で大きく温度低下して、一時的に暖房用熱交換部３３では通過する流体から逆に吸熱してしまい、設定温度を維持できない状況となった場合、暖房装置６０、７０への加熱を抑えることにより、使用者が不快と感じる暖房温度の変動を少なくすることができる。【選択図】図１
2006118815.tif 000002
【特許請求の範囲】
【請求項１】
加熱装置（２０）によって加熱された給湯用水を内部に貯えて給湯を行う貯湯タンク（１０）と、
前記貯湯タンク（１０）内の給湯用水を一次側回路（３１）に流通させて複数の二次側回路（３２、３３）に流通する流体を加熱する熱交換器（３０）と、
前記二次側回路の一つ（３２）と浴槽（８９）内の浴水を追い焚きする浴水追い焚き装置（８０）とを接続した追い焚き回路（３４、３５）と、
前記二次側回路の一つ（３３）と部屋の暖房を行う暖房装置（６０、７０）とを接続した暖房回路（３６、３７）と、
これらを構成する機器の制御を行う制御手段（４２）とを備えた貯湯式多機能給湯装置において、
前記制御手段（４２）は、前記浴水追い焚き装置（８０）による追い焚きと、前記暖房装置（６０、７０）による暖房とを並行して行う状況において、前記暖房装置（６０、７０）で加熱ができない場合は前記暖房装置（６０、７０）への給熱を抑えることを特徴とする貯湯式多機能給湯装置。
【請求項２】
前記暖房回路（３６、３７）には、流体を循環させる二次側循環手段（３８）と、前記暖房装置（６０、７０）へ供給する流体の温度を検出する供給温度検出手段（５３ａ）と、前記暖房装置（６０、７０）から戻る流体の温度を検出する戻り温度検出手段（５３ｂ）とを備え、
前記制御手段（４２）は、前記浴水追い焚き装置（８０）による追い焚きと、前記暖房装置（６０、７０）による暖房とを並行して行う状況において、前記供給温度検出手段（５３ａ）で検出される供給温度が前記戻り温度検出手段（５３ｂ）で検出される戻り温度よりも低くなった場合、前記二次側循環手段（３８）による流体循環を停止するか、もしくは低く抑えることを特徴とする請求項１に記載の貯湯式多機能給湯装置。
【請求項３】
前記制御手段（４２）は、前記供給温度検出手段（５３ａ）で検出される供給温度が前記戻り温度検出手段（５３ｂ）で検出される戻り温度よりも低くなって前記二次側循環手段（３８）による流体循環を停止させた場合、所定時間経過後に前記二次側循環手段（３８）による流体循環を再開することを特徴とする請求項２に記載の貯湯式多機能給湯装置。
【請求項４】
前記制御手段（４２）は、前記供給温度検出手段（５３ａ）で検出される供給温度が前記戻り温度検出手段（５３ｂ）で検出される戻り温度よりも低くなって前記二次側循環手段（３８）による流体循環を低く抑えた場合、前記供給温度検出手段（５３ａ）で検出される供給温度が前記戻り温度検出手段（５３ｂ）で検出される戻り温度よりも高くなったときに通常の流体循環に復帰させることを特徴とする請求項２に記載の貯湯式多機能給湯装置。
【請求項５】
前記追い焚き回路（３４、３５）には、前記浴槽（８９）から戻る浴水の温度を検出する浴水温度検出手段（５５）と、前記暖房回路（３６、３７）には、流体を循環させる二次側循環手段（３８）とを備え、
前記制御手段（４２）は、前記浴水追い焚き装置（８０）による追い焚きと、前記暖房装置（６０、７０）による暖房とを並行して行う状況において、前記浴水温度検出手段（５５）で検出される浴水温度が所定温度よりも低い場合、前記二次側循環手段（３８）による流体循環を停止するか、もしくは低く抑えることを特徴とする請求項１に記載の貯湯式多機能給湯装置。
【請求項６】
前記制御手段（４２）は、前記浴水温度検出手段（５５）で検出される浴水温度が所定温度よりも低く、前記二次側循環手段（３８）による流体循環を停止するか、もしくは低く抑えた場合、前記浴水温度検出手段（５５）で検出される浴水温度が所定温度よりも高くなったときに通常の流体循環に復帰させることを特徴とする請求項５に記載の貯湯式多機能給湯装置。
【発明の詳細な説明】
【技術分野】
【０００１】
本発明は、加熱装置によって加熱された給湯用水を内部に貯えて給湯を行う貯湯タンクと、貯湯タンク内の給湯用水を一次側回路に流通させて複数の二次側回路に流通する流体を加熱する熱交換器と、二次側回路の一つに接続されて浴槽内の浴水を追い焚きする浴水追い焚き装置と、二次側回路の一つに接続されて部屋の暖房を行う暖房装置とを備える貯湯式多機能給湯装置に関するものであり、特に、追い焚きと暖房とを並行して行う場合の制御に関するものである。
【背景技術】
【０００２】
この種の貯湯式多機能給湯装置として、本出願人は先に、特願２００４−１１０３７０号を出願している（図５の模式図参照）。これは、貯湯タンク１０内の給湯用水を一次側回路に流通させて複数の二次側回路に流通する流体を異なる温度で同時に加熱することが可能な熱交換器３０を備える貯湯式多機能給湯装置である。
【０００３】
そして、図５（ａ）に示すように、複数の二次側回路として浴水の追い焚きと床暖房などの暖房とを１つの熱交換器３０で並行して行う場合、使用者が温度変化を敏感に感じる追い焚き側回路を優先的に加熱し、追い焚き温度をフィードバックして１次側の流量を制御し、暖房側回路の加熱は成り行きとなる構成となっている。
【発明の開示】
【発明が解決しようとする課題】
【０００４】
しかしながら、上記技術では、追い焚き開始時の浴水温度が低い場合、図５（ｂ）に示すように、１次側の湯は熱交換器３０の追い焚き用熱交換部３２を加熱しながら通過した時点で大きく温度低下することより、一時的に暖房用熱交換部３３では通過する流体から逆に吸熱してしまい、例えば暖房が床暖房の場合、床表面温度が低下して使用者に不快感を与えるという問題点がある。図５は、この問題を説明する模式図であり、（ａ）は追い焚きする浴水温度が４０℃の例、（ｂ）は追い焚きする浴水温度が２０℃の例である。尚、説明しない符号は、後述の実施形態と対応するため、ここでの説明を省く。
【０００５】
また、暖房用熱交換部３３で通過する流体から逆に吸熱してしまうような状況では、１次側の貯湯タンク１０への戻り温度も上昇させてしまい、貯湯タンク１０内の戻り水を加熱装置２０で沸き上げる際の効率を悪くするという問題点がある。本発明は上記問題点に鑑みて成されたものであり、その目的は、追い焚きと暖房とを並行して行う場合において、不快と感じる暖房温度の変動を少なくすることのできる貯湯式多機能給湯装置を提供することにある。
【課題を解決するための手段】
【０００６】
上記、目的を達成するために、請求項１ないし請求項６に記載の技術的手段を採用する。すなわち、請求項１に記載の発明では、加熱装置（２０）によって加熱された給湯用水を内部に貯えて給湯を行う貯湯タンク（１０）と、貯湯タンク（１０）内の給湯用水を一次側回路（３１）に流通させて複数の二次側回路（３２、３３）に流通する流体を加熱する熱交換器（３０）と、二次側回路の一つ（３２）と浴槽（８９）内の浴水を追い焚きする浴水追い焚き装置（８０）とを接続した追い焚き回路（３４、３５）と、二次側回路の一つ（３３）と部屋の暖房を行う暖房装置（６０、７０）とを接続した暖房回路（３６、３７）と、これらを構成する機器の制御を行う制御手段（４２）とを備えた貯湯式多機能給湯装置において、
制御手段（４２）は、浴水追い焚き装置（８０）による追い焚きと、暖房装置（６０、７０）による暖房とを並行して行う状況において、暖房装置（６０、７０）で加熱ができない場合は暖房装置（６０、７０）への給熱を抑えることを特徴としている。
【０００７】
この請求項１に記載の発明によれば、追い焚きと暖房とを並行して行う場合において、例えば追い焚き開始時の浴水温度が低く、１次側の湯が熱交換器（３０）の追い焚き用熱交換部（３２）を加熱しながら通過した時点で大きく温度低下して、一時的に暖房用熱交換部（３３）では通過する流体から逆に吸熱してしまい、加熱ができない状況となった場合、暖房装置（６０、７０）への給熱を抑えることにより、使用者が不快と感じる暖房温度の変動を少なくすることができる。
【０００８】
また、暖房用熱交換部（３３）で通過する流体から逆に吸熱してしまって１次側の貯湯タンク（１０）への戻り温度も上昇させてしまうようなことが抑えられるため、貯湯タンク（１０）内の戻り水を加熱装置（２０）で沸き上げる際に効率を悪くすることも抑えることができる。
【０００９】
また、請求項２に記載の発明では、請求項１に記載の貯湯式多機能給湯装置において、暖房回路（３６、３７）には、流体を循環させる二次側循環手段（３８）と、暖房装置（６０、７０）へ供給する流体の温度を検出する供給温度検出手段（５３ａ）と、暖房装置（６０、７０）から戻る流体の温度を検出する戻り温度検出手段（５３ｂ）とを備え、
制御手段（４２）は、浴水追い焚き装置（８０）による追い焚きと、暖房装置（６０、７０）による暖房とを並行して行う状況において、供給温度検出手段（５３ａ）で検出される供給温度が戻り温度検出手段（５３ｂ）で検出される戻り温度よりも低くなった場合、二次側循環手段（３８）による流体循環を停止するか、もしくは低く抑えることを特徴としている。
【００１０】
この請求項２に記載の発明によれば、より具体的には、暖房回路（３６、３７）での供給温度が戻り温度よりも低くなる場合は、二次側循環手段（３８）による流体循環を停止するか、もしくは低く抑えることにより、暖房装置（６０、７０）への給熱を抑えることができる。
【００１１】
また、請求項３に記載の発明では、請求項２に記載の貯湯式多機能給湯装置において、制御手段（４２）は、供給温度検出手段（５３ａ）で検出される供給温度が戻り温度検出手段（５３ｂ）で検出される戻り温度よりも低くなって二次側循環手段（３８）による流体循環を停止させた場合、所定時間経過後に二次側循環手段（３８）による流体循環を再開することを特徴としている。
【００１２】
この請求項３に記載の発明によれば、所定時間毎に温度状況をチェックすることとなり、その繰り返しの中で暖房回路（３６、３７）での供給温度が戻り温度よりも低くなるような状況がなくなれば、自然に通常の暖房状態に復帰することとなる。
【００１３】
また、請求項４に記載の発明では、請求項２に記載の貯湯式多機能給湯装置において、制御手段（４２）は、供給温度検出手段（５３ａ）で検出される供給温度が戻り温度検出手段（５３ｂ）で検出される戻り温度よりも低くなって二次側循環手段（３８）による流体循環を低く抑えた場合、供給温度検出手段（５３ａ）で検出される供給温度が戻り温度検出手段（５３ｂ）で検出される戻り温度よりも高くなったときに通常の流体循環に復帰させることを特徴としている。
【００１４】
この請求項４に記載の発明によれば、暖房回路（３６、３７）での供給温度が戻り温度よりも低くなるような状況がなくなり次第、自然に通常の暖房状態に復帰することとなる。
【００１５】
また、請求項５に記載の発明では、請求項１に記載の貯湯式多機能給湯装置において、追い焚き回路（３４、３５）には、浴槽（８９）から戻る浴水の温度を検出する浴水温度検出手段（５５）と、暖房回路（３６、３７）には、流体を循環させる二次側循環手段（３８）とを備え、
制御手段（４２）は、浴水追い焚き装置（８０）による追い焚きと、暖房装置（６０、７０）による暖房とを並行して行う状況において、浴水温度検出手段（５５）で検出される浴水温度が所定温度よりも低い場合、二次側循環手段（３８）による流体循環を停止するか、もしくは低く抑えることを特徴としている。
【００１６】
この請求項５に記載の発明によれば、より具体的には、浴水温度が所定温度よりも低い場合は、暖房回路（３６、３７）での供給温度が戻り温度よりも低くなる可能性が高いため、二次側循環手段（３８）による流体循環を停止するか、もしくは低く抑えることにより、暖房装置（６０、７０）への加熱を抑えることができる。
【００１７】
また、請求項６に記載の発明では、請求項５に記載の貯湯式多機能給湯装置において、制御手段（４２）は、浴水温度検出手段（５５）で検出される浴水温度が所定温度よりも低く、二次側循環手段（３８）による流体循環を停止するか、もしくは低く抑えた場合、浴水温度検出手段（５５）で検出される浴水温度が所定温度よりも高くなったときに通常の流体循環に復帰させることを特徴としている。
【００１８】
この請求項６に記載の発明によれば、暖房回路（３６、３７）での供給温度が戻り温度よりも低くなるような状況がなくなり次第、自然に通常の暖房状態に復帰することとなる。ちなみに、上記各手段の括弧内の符号は、後述する実施形態の具体的手段との対応関係を示すものである。
【発明を実施するための最良の形態】
【００１９】
（第１実施形態）
以下、本発明の実施の形態について添付した図面を参照しながら詳細に説明する。図１は、本発明の実施形態に係る貯湯式多機能給湯装置の全体構成を示す模式図である。貯湯タンク１０内に貯えられた給湯用水を台所・洗面所・風呂などへの給湯機能に用いるとともに、貯えられた給湯用水を一次側の熱源として、二次側に流通する被加熱流体を加熱する熱交換器３０を備え、浴水の追い焚き機能や暖房機能に利用したものである。
【００２０】
先ず、給湯機能は、図１に示すように、給湯用水を内部に貯える貯湯タンク１０と、この貯湯タンク１０内の最下部から低温の給湯用水を取り出し、高温にして貯湯タンク１０内の最上部に送る給湯用水加熱回路２１と、この給湯用水加熱回路２１を流れる給湯用水を加熱する加熱装置としてのヒートポンプ熱源機２０と、貯湯タンク１０内に水道水を給水する給水用配管１２と、貯湯タンク１０内の給湯用水を導出する給湯管１３と、給湯用配管１４・１４ａと、本給湯装置の作動を制御する制御手段（熱源制御部４１、給湯制御部４２）とから構成されている。
【００２１】
一方、追い焚き機能および暖房機能においては、貯湯タンク１０内の給湯用水が一次側に流通する一次側回路３１と、二次側に被加熱流体が流通する二回路の二次側回路３２・３３からなる熱交換器３０と、浴水追い焚き装置８０と、暖房装置である床暖房ユニット６０・暖房ユニット７０と、これらを接続する追い焚き回路３４・３５、暖房回路３６・３７、および給湯制御部４２から構成されている。尚、本実施形態では、二回路の二次側回路３２・３３のうち、一方を追い焚き用熱交換部３２と称し、他方を暖房用熱交換部３３と称している。
【００２２】
次に、給湯機能を構成する構成部品についてより具体的に説明すると、貯湯タンク１０は、縦長形状の耐食性に優れた金属製（例えば、ステンレス製）の容器で形成され、外周部に図示しない断熱材が配設され、高温の給湯用水を長時間に渡って保温できるようになっている。また、貯湯タンク１０内の底面には給水口１０ａが設けられ、この給水口１０ａに給水経路である給水用配管１２が接続されている。
【００２３】
そして、給水用配管１２には、給水温度を検出する給水サーミスタ５１が設けられており、給水用配管１２内の温度情報を給湯制御部４２に出力するようになっている。また、給水用配管１２には、給水口１０ａに導入される水道水の水圧を所定圧となるように調節するとともに、断水などにおける湯の逆流を防止する図示しない減圧逆止弁が設けられている。更に、給水用配管１２の下流端は、給湯用混合弁１５およびお湯張り用混合弁１５ａの一方の入口側に繋がれている。
【００２４】
また、貯湯タンク１０の最上部には給湯口１０ｂが設けられ、この給湯口１０ｂには貯湯タンク１０内に貯えられた給湯用水のうち、高温の給湯用水を導出するための給湯経路である給湯管１３が接続されている。尚、この給湯管１３の経路途中には空気逃がし弁１９が配設された排出配管１３ａを接続しており、貯湯タンク１０内の圧力が所定圧以上に上昇した場合には、貯湯タンク１０内の給湯用水を外部に排出して、貯湯タンク１０などにダメージを与えないようになっている。
【００２５】
そして、この給湯管１３の下流端には給湯用混合弁１５およびお湯張り用混合弁１５ａが設けられ、これらの下流側には混合湯経路である給湯用配管１４・１４ａが接続されている。また、この給湯用配管１４・１４ａには、供給される給湯用水の湯温を検出する出湯サーミスタ５２・５２ａ、および給湯用配管１４・１４ａ内を流通する給湯用水の流量情報を検出する流量カウンタ５７・５７ａが設けられ、出湯サーミスタ５２・５２ａ、および流量カウンタ５７・５７ａにより検出された温度情報および流量情報を給湯制御部４２に出力するようになっている。
【００２６】
また、給湯用配管１４・１４ａの下流端は台所・洗面所・浴室などに配置された図示しない給湯水栓やシャワー水栓などに通じており、これらの給湯水栓やシャワー水栓が開弁したときに、使用者が設定した設定温度に調節された給湯用水が出湯される。尚、流量カウンタ５７・５７ａが給湯用配管１４・１４ａ内の給湯用水の流れを検出したときは、給湯水栓やシャワー水栓などのいずれかで給湯用水が使用されていることである。また、一方の給湯用配管１４ａは浴槽８９内に浴水を湯張りするための給湯用配管であって、湯張り用開閉弁５８、流量カウンタ５７ａおよび逆止弁５９が設けられている。
【００２７】
この湯張り用開閉弁５８は、給湯制御部４２により制御され、給湯用配管１４ａに流れる混合湯を開閉する電磁弁である。流量カウンタ５７ａは、給湯用配管１４ａ内に流れる湯張り流量を検出するものである。そして、逆止弁５９は、浴水追い焚き装置８０内の浴水が給湯用配管１４ａ内に逆流させないための弁である。
【００２８】
尚、湯張り用開閉弁５８を開弁させて浴槽８９に湯張り・差し湯・足し湯をするときは、後述する開閉弁８５も開弁するように制御されるとともに、水圧スイッチ８４により検出された水位レベルが所定レベルに達したとき、湯張り用開閉弁５８および開閉弁８５が閉弁されて設定流量の混合湯が浴槽８９内に湯張りされることになる。また、差し湯・足し湯は、湯張り用流量カウンタ５７ａにより検出された流量情報に基づいて所定の流量の混合湯が出湯されるように制御される。
【００２９】
ところで、給湯用混合弁１５および湯張り用混合弁１５ａは、給湯用配管１４・１４ａに供給する給湯用水の湯温を調節する温度調節弁であり、給湯管１３側と給水用配管１２側との開口面積比を調節することで、給湯用水と水道水との混合比を調節するようにしている。つまり、ここで、使用者が設定した設定温度となるように温度調節されている。
【００３０】
尚、これらの混合弁１５・１５ａは、給湯制御部４２に電気的に接続されており、上記出湯サーミスタ５２・５２ａ、給水サーミスタ５１および後述する貯湯サーミスタ５４により検出される温度情報に基づいて制御される。また、これらの混合弁１５・１５ａは出湯サーミスタ５２・５２ａにより検出される温度情報に基づいてフィードバック制御を行うように制御される。
【００３１】
そして、貯湯タンク１０の外壁面には、給湯用水の貯湯量、もしくは貯湯温度を検出するための水温センサである複数（本例では、５箇所）の貯湯サーミスタ５４が縦方向（タンクの高さ方向）にほぼ等間隔に配置され、貯湯タンク１０内に満たされた給湯用水の各水位レベルでの温度情報を給湯制御部４２に出力するようにしている。
【００３２】
従って、給湯制御部４２は、複数の貯湯サーミスタ５４からの温度情報に基づき、貯湯タンク１０内上方の沸き上げられた湯温と、貯湯タンク１０内下方の沸き上げられる前の低温の給湯用水との境界位置を検出することができるとともに、各水位レベルでの給湯用水の湯温が検出できる。尚、複数の貯湯サーミスタ５４のうち、最上部に設けられた貯湯サーミスタ５４は高温の給湯用水を出湯する出湯温度を検出する機能を有している。
【００３３】
次に、貯湯タンク１０内の給湯用水を加熱するヒートポンプ熱源機２０は、例えば、炭酸ガスを冷媒として使用することにより、高圧側の冷媒圧力が冷媒の臨界圧力以上となる超臨界ヒートポンプサイクルを使用している。このヒートポンプサイクルは、周知のように図示しない冷媒圧縮機・給湯用水加熱用の加熱熱交換器・膨張弁・冷媒蒸発器およびアキュムレータなどの冷凍サイクル機能部品より構成されている。ちなみに、冷媒圧縮機は、内蔵する電動モータによって駆動され、アキュムレータより吸引した気相冷媒を臨界圧力以上まで圧縮して吐出する。
【００３４】
加熱熱交換器は、冷媒と給湯用水とを熱交換するもので、例えば、冷媒が流れる冷媒通路と給湯用水が流れる給湯用水通路とが二重管構造に設けられ、且つ冷媒の流れ方向と給湯用水の流れ方向とが対向するように構成された対向流式の加熱熱交換器である。
【００３５】
膨張弁は、加熱熱交換器から流出する冷媒を減圧して冷媒蒸発器に供給する。冷媒蒸発器は、膨張弁で減圧された冷媒を大気との熱交換によって蒸発させる。アキュムレータは、冷媒蒸発器より流出する冷媒を気液分離して、気相冷媒のみ冷媒圧縮機に吸引させるとともに、サイクル中の余剰冷媒を蓄えている。
【００３６】
また、加熱熱交換器の給湯用水通路は、上述した給湯用水加熱回路２１を介して貯湯タンク１０に接続され、図示しない電動ポンプが作動することで、貯湯タンク１０内の給湯用水が循環する。尚、給湯用水加熱回路２１の上流端が貯湯タンク１０の底部１０ｃに接続され、給湯用水加熱回路２１の下流端が貯湯タンク１０の上部１０ｄに接続されている。これにより、加熱熱交換器で冷媒との熱交換により加熱された給湯用水が貯湯タンク１０の上部１０ｄへ送り込まれるため、貯湯タンク１０の上部側から下部側へ向かって順次給湯用水に蓄熱されてゆく。
【００３７】
尚、ヒートポンプ熱源機２０は熱源制御部４１からの制御信号により作動されるとともに、作動状態を熱源制御部４１に出力するようになっている。また、これらの動力源として交流電力を用い、主に料金設定の最も安い深夜時間帯における深夜電力を用いて、貯湯タンク１０内の給湯用水を沸き上げる蓄熱運転を行っているが、昼間時間帯においても給湯用水の湯温が低下してくると沸き上げ運転を行うよう制御される。ちなみに、超臨界ヒートポンプサイクルによれば、一般的なヒートポンプサイクルよりも高温（例えば、８５〜９０℃）の給湯用水を内部に貯えることができる。
【００３８】
次に、追い焚き機能を構成する構成部品についてより具体的に説明する。浴水追い焚き装置８０は、浴槽８９内の浴水を熱交換器３０の二次側回路である追い焚き用熱交換部３２に循環させて浴水を追い焚きする装置であり、往き管８２・戻り管８１およびバイパス管８３から構成された循環回路と、熱交換器３０の追い焚き用熱交換部３２とを接続する追い焚き回路３４・３５とが接続されている。
【００３９】
ちなみに、往き管８２側が追い焚き往き管３４に接続され、戻り管８１側が追い焚き戻り管３５に接続されている。また、往き管８２には、上流側から順に、水圧スイッチ８４・開閉弁８５・第２循環ポンプ８６・浴水温度検出手段としての浴水温度サーミスタ５５・流水スイッチ８７および追い焚き三方弁８８が設けられている。また、戻り管８１には、下流側に追い焚きサーミスタ５６が設けられている。
【００４０】
水圧スイッチ８４は、浴槽８９内に湯張りされた浴水の湯量、言い換えれば、浴槽８９内の水位レベルを求めるための水圧を検出するセンサである。開閉弁８５は浴水循環回路を開閉する電磁弁であり、第２循環ポンプ８６は浴槽８９内の浴水を追い焚き用熱交換部３２に圧送する電動ポンプである。浴水温度サーミスタ５５は、往き管８２を流通する浴水の湯温を検出する水温センサである。
【００４１】
流水スイッチ８７は、追い焚き三方弁８８側の方向に浴水および後述する給湯用水が流通しているか否かを検出するための流水センサである。この追い焚き三方弁８８は、浴水を追い焚き用熱交換部３２に流通させるか、追い焚き用熱交換部３２を迂回するバイパス管８３のいずれか一方に流通方向を切り換えるための切換弁である。追い焚きサーミスタ５６は、戻り管８１を流通する浴水の湯温を検出する水温センサであり、浴槽８９内に戻される浴水温度となる。
【００４２】
尚、水圧スイッチ８４・流水スイッチ８７・浴水温度サーミスタ５５および追い焚きサーミスタ５６は、それぞれの容積情報・流水情報および温度情報を給湯制御部４２に出力するようにされ、開閉弁８５・第２循環ポンプ８６および追い焚き三方弁８８は給湯制御部４２により制御される。
【００４３】
また、湯張り後に浴槽８９内の浴水の温度を検出するときは、追い焚き三方弁８８をバイパス管８３側に流れ方向を切り換えるとともに、第２循環ポンプ８６を作動させることで、浴槽８９内の浴水が往き管８２・バイパス管８３・戻り管８１・浴槽８９内の順に循環されて浴水温度サーミスタ５５により浴水の湯温を検出するようにしている。
【００４４】
また、追い焚きするときは、追い焚き三方弁８８の流れ方向を追い焚き用熱交換部３２側に切り換えることで、浴槽８９内の浴水が往き管８２・追い焚き用熱交換部３２・戻り管８１・浴槽８９内の順に循環されて、浴水温度サーミスタ５５により検出された浴水の湯温が所定温度になるまで循環させるように制御される。
【００４５】
次に、暖房機能を構成する構成部品についてより具体的に説明する。まず、床暖房ユニット６０は、例えば、脱衣所や台所などの床に設置し、床パネル６１内の配管６１ａに熱交換媒体となるブラインを流通させて被加熱物である床パネル６１を暖める暖房装置であり、配管６１ａに流通するブラインを開閉する熱動弁６２、床パネル６１の出口側水温を検出する図示しない水温センサ、および水温センサにより検出された出口側水温に基づいて熱動弁６２を制御する図示しない床暖房制御部から構成されている。尚、本実施形態では、床暖房ユニット６０を１台のみ設置したが、複数台をそれぞれが暖房用熱交換部３３に対して並列になるよう設けても良い。
【００４６】
また、暖房ユニット７０は、例えば、浴室内や洗面室内の被加熱流体である室内の空気を吸い込んで放熱器７１で加熱させて、温風を吹き出して室内を暖房する暖房装置であり、放熱器７１・送風機７２・放熱器７１に流通するブラインを開閉する開閉弁７３、吸い込み温度を検出する図示しない吸い込み温度センサおよび吸い込み温度センサにより検出された吸い込み温度に基づいて送風機７２および開閉弁７３を制御する図示しない暖房制御部などから構成されている。尚、本実施形態では暖房ユニット７０を１台のみ設置したが、複数台をそれぞれが暖房用熱交換部３３に対して並列になるよう設けても良い。
【００４７】
暖房回路３６・３７は、暖房用熱交換部３０で熱交換されたブラインを床暖房ユニット６０や暖房ユニット７０に流通させる循環回路であり、３６が暖房往き管であり、３７が暖房戻り管である。そして、暖房回路３６・３７には、バイパス通路３６ａ・二次側循環手段としての第３循環ポンプ３８・供給温度検出手段としての供給温度サーミスタ５３ａおよび戻り温度検出手段としての戻り温度サーミスタ５３ｂなどが設けられている。尚、バイパス通路３６ａは、熱動弁６２や開閉弁７３が全て閉弁したときに床暖房ユニット６０や暖房ユニット７０を迂回するバイパス回路である。
【００４８】
第３循環ポンプ３８は、ブラインを暖房用熱交換部３３から床暖房ユニット６０や暖房ユニット７０に流通させる圧送手段であり、床暖房ユニット６０や暖房ユニット７０の使用台数に基づいて、給湯制御部４２により回転数が制御される。そして、供給温度サーミスタ５３ａは暖房用熱交換部３３を流通して熱交換後のブラインの水温を検出する水温センサであり、戻り温度サーミスタ５３ｂは床暖房ユニット６０や暖房ユニット７０を流通して熱交換後のブラインの水温を検出する水温センサであり、いずれのサーミスタも検出された温度情報を給湯制御部４２に出力するようになっている。
【００４９】
次に、熱交換器３０は、加熱側である一次側が１回路で構成され、加熱される側である二次側が複数の回路で構成された対向流式の熱交換器である。具体的には、図１に示すように、貯湯タンク１０内の貯えられた給湯用水が流通する一次側回路３１と浴水やブラインが流通する複数個（本実施形態では二つ）の二次側回路３２・３３から構成されている。
【００５０】
ところで、本実施形態の貯湯式多機能給湯装置では、図１に示すように、上方に配置した二次側回路３２を追い焚き用熱交換部３２と称して浴水追い焚き装置８０に接続し、下方に配置した二次側回路３３を暖房用熱交換部３３と称して暖房装置６０・７０に接続している。
【００５１】
そして、熱交換器３０は、図１に示すように、一次側回路３１に貯湯タンク１０内の貯えられた給湯用水が流通するように１次側循環回路が往き管１６・戻り管１７および第１循環ポンプ１８などから構成されている。この往き管１６は、上流端が貯湯タンク１０の上方部１０ｅに接続され、下流端が一次側回路３１の流入部に接続されている。
【００５２】
また、戻し管１７は、上流端が一次側回路３１の流出側に接続され、下流端が貯湯タンク１０の下方部１０ｆに接続されている。第１循環ポンプ１８は、戻し管１７の中途に配置されており、貯湯タンク１０内の給湯用水を一次側回路３１に流通させるポンプである。尚、この第１循環ポンプ１８は、上述した追い焚きサーミスタ５６や供給温度サーミスタ５３ａにより検出された温度情報に基づいて回転数が制御されるように給湯制御部４２に電気的に接続されている。
【００５３】
一方、追い焚き用熱交換部３２は、その流入部が追い焚き戻り管３５に接続され、その流出部が追い焚き往き管３４に接続されて、一次側回路３１の流れ方向と対向する方向に浴水が流れることになる。暖房用熱交換部３３においても、同じように、その流入部と流出部とが暖房回路３６・３７に接続されて一次側回路３１の流れ方向と対向する方向にブラインが流れることになる。これにより、熱交換器３０は、図１に矢印で示すように、対向流式の熱交換器を形成している。
【００５４】
次に、給湯制御部４２は、マイクロコンピュータを主体として構成され、内蔵のＲＯＭには、予め設定された制御プログラムが設けられており、各サーミスタ５１〜５６からの温度情報、各流量カウンタ５７・５７ａからの流量情報および図示しない操作盤に設けられた操作スイッチからの操作信号などに基づいて、給湯管１３、給湯用配管１４・１４ａ、浴水追い焚き装置８０、暖房回路３６・３７および戻り管１７内の各種アクチュエータ類を制御するように構成されている。
【００５５】
また、熱源制御部４１は、給湯制御部４２と同じように、マイクロコンピュータを主体として構成され、内蔵のＲＯＭには、予め設定された制御プログラムが設けられており、図示しない各種サーミスタからの温度情報などに基づいてヒートポンプ熱源機２０内のアクチュエータ類を制御する。この熱源制御部４１では、加熱熱交換器で加熱された給湯用水の湯温を一定温度に保つために、加熱後の給湯用水の温度を検出する貯湯サーミスタ（最上部）５４の検出温度に基づいて電動ポンプの回転数制御を行っている。
【００５６】
次に、以上の構成による貯湯式多機能給湯装置の作動概要について説明する。まず、図示しない電源スイッチがオンされると（例えば、深夜時間帯に達すると）、熱源制御部４１によりヒートポンプ熱源機２０内のヒートポンプサイクル部品と循環ポンプなどのアクチュエータ類を制御させて貯湯タンク１０内の給湯用水を加熱して高温（例えば８５℃）の給湯用水が貯えられる。
【００５７】
そして、貯湯タンク１０内に貯えられた給湯用水が台所・洗面所・浴室などへ給湯の用途に供されるとともに、熱交換器３０の一次側回路３１に貯えられた高温の給湯用水を流通させて、追い焚き用熱交換部３２を流通する浴水、および暖房用熱交換部３３を流通するブラインを加熱させて追い焚き機能および暖房機能の用途に供するものである。
【００５８】
まず、浴水を追い焚きする作動について説明する。図示しない追い焚きスイッチを操作しておくと、所定時間毎に浴水温度を検出して、その浴水温度が追い焚き設定温度に未達であれば浴水を加熱するように作動する。つまり、給湯制御部４２により、所定時間後に追い焚き三方弁８８・開閉弁８５・第２循環ポンプ８６が作動して浴槽８９内の浴水を往き管８２・バイパス管８３・戻り管８１の順に循環させる。
【００５９】
このときに、浴水温度サーミスタ５５により浴水温を検出する。検出された浴水温が追い焚き設定温度以下であると、追い焚き三方弁８８の流れ方向を追い焚き用熱交換部３２側に切り換えられて浴水を追い焚き用熱交換部３２に流通させる。これにより、第１循環ポンプ１８が運転され、給湯用水が一次側回路３１に流通されて浴水が給湯用水熱エネルギーを受けて加熱される。また、浴水と熱交換された給湯用水は貯湯タンク１０内に戻される。
【００６０】
そして、浴水温が設定温度に達すると、追い焚き三方弁８８の流れ方向がバイパス管８３側に切り換えられるとともに、開閉弁８５が閉弁、第２循環ポンプ８６および第１ポンプ１８が停止する。これにより、貯湯タンク１０内の給湯用水を加熱元として浴水が追い焚き設定温度を維持するように保温されるものである。
【００６１】
次に、床暖房ユニット６０や暖房ユニット７０を運転したときの暖房装置の作動について説明する。床暖房ユニット６０は、図示しない運転スイッチを操作すると熱動弁６２が開弁され、第３循環ポンプ３８が運転する。これにより、配管６１ａに加熱されたブラインが流通する。また、暖房ユニット７０は、図示しない運転スイッチを操作すると、開閉弁７３が開弁され、放熱器７１に加熱されたブラインが流通され、その後に送風機７２が作動して放熱器７１で室内空気が加熱される。
【００６２】
そして、第３循環ポンプ３８の運転により暖房用熱交換部３３にブラインが流通すると、第１循環ポンプ１８が運転されて貯湯タンク１０内の高温の給湯用水が一次側回路３１に流通されて、ブラインが給湯用水の熱エネルギーを受けて加熱される。また、ブラインと熱交換された給湯用水は貯湯タンク１０内に戻される。尚、ここでは、第１循環ポンプ１８および第３循環ポンプ３８は、供給温度サーミスタ５３ａによって検出されたブラインの湯温が所定温度となるように回転数を制御される。
【００６３】
これにより、一次側回路３１に流通する流量が設定されるとともに、暖房用熱交換部３３内を流通するブラインの流量が設定される。ちなみに、供給温度サーミスタ５３ａによって検出されたブラインの湯温の所定温度は、床暖房ユニット６０と暖房ユニット７０とでは異なるように設定され、例えば、床暖房ユニット６０が運転しているときは、約６０℃程度であり、暖房ユニット７０のみが運転しているときは約８０℃程度にしてある。これは、床暖房に最適となる温度帯の湯温を超えないようにしたものである。
【００６４】
そして、設定温度に達すると、熱動弁６２もしくは開閉弁７３が閉弁する。このときに、熱動弁６２・開閉弁７３の両者が閉弁のときは、バイパス通路３６ａを流通するようにしている。これにより、貯湯タンク１０内の給湯用水を加熱元として、暖房用熱交換部３３を流通するブラインを加熱することで、床暖房ユニット６０や暖房ユニット７０を暖房の用途に供することができる。尚、本実施形態では、１回路からなる一次側回路３１に対して、追い焚き用熱交換部３２・暖房用熱交換部３３の２回路の二次側回路を設定したが、これに限らず、２回路以上を組み合わせても良い。
【００６５】
次に、本発明の作動を説明する。図２は、本発明の第１実施形態における給湯制御部４２の制御を示すフローチャートである。先ず、ステップＳ１１では、追い焚き運転と暖房運転とを併用する運転状態であるか否かの判定を行う。その判定結果がＮＯで、追い焚き運転もしくは暖房運転の単独運転状態であればリターンして本フローチャートを繰り返す。そして、ステップＳ１１での判定結果がＹＥＳで、追い焚き運転と暖房運転とを併用する運転状態となった場合にはステップＳ１２へと進む。
【００６６】
ステップＳ１２では、供給温度サーミスタ５３ａで検出される暖房機への往き温度が、戻り温度サーミスタ５３ｂで検出される暖房機からの戻り温度よりも低いか否かの判定を行う。その判定結果がＮＯで、往き温度が戻り温度よりも高い状態であればリターンして本フローチャートを繰り返す。そして、ステップＳ１２での判定結果がＹＥＳで、往き温度が戻り温度よりも低い状態となった場合にはステップＳ１３へと進む。ステップＳ１３では、暖房二次側回路の循環手段である第３循環ポンプ３８を停止させる。
【００６７】
ステップＳ１４では、所定時間を経過したか否かの判定を行う。その判定結果がＮＯで、所定時間以内であればリターンして本ステップを繰り返す。そして、ステップＳ１４での判定結果がＹＥＳで、所定時間を経過した場合にはステップＳ１５へと進む。ステップＳ１５では、停止させていた第３循環ポンプ３８の運転を再開する。そして、リターンして本フローチャートを繰り返すものである。
【００６８】
これは、追い焚きと暖房との併用運転で、暖房への往き温度が戻り温度よりも低い状態となる場合は暖房側の第３循環ポンプ３８を停止させて所定時間を待つ作動となり、繰り返す中で追い焚きもしくは暖房の単独運転となるか、もしくは暖房への往き温度が戻り温度よりも高い状態となれば通常の運転状態とするものである。
【００６９】
次に、本実施形態での特徴と、その効果について述べる。先ず、給湯制御部４２は、浴水追い焚き装置８０による追い焚きと、暖房装置６０・７０による暖房とを並行して行う状況において、暖房装置６０・７０で加熱ができない場合は暖房装置６０・７０への給熱を抑えることを特徴としている。
【００７０】
これによれば、追い焚きと暖房とを並行して行う場合において、例えば追い焚き開始時の浴水温度が低く、１次側の湯が熱交換器３０の追い焚き用熱交換部３２を加熱しながら通過した時点で大きく温度低下して、一時的に暖房用熱交換部３３では通過する流体から逆に吸熱してしまい、加熱ができない状況となった場合、暖房装置６０・７０への給熱を抑えることにより、使用者が不快と感じる暖房温度の変動を少なくすることができる。
【００７１】
また、暖房用熱交換部３３で通過する流体から逆に吸熱してしまって１次側の貯湯タンク１０への戻り温度も上昇させてしまうようなことが抑えられるため、貯湯タンク１０内の戻り水をヒートポンプ熱源機２０で沸き上げる際に効率を悪くすることも抑えることができる。
【００７２】
また、暖房回路３６・３７には、流体を循環させる第３循環ポンプ３８と、暖房装置６０・７０へ供給する流体の温度を検出する供給温度サーミスタ５３ａと、暖房装置６０・７０から戻る流体の温度を検出する戻り温度サーミスタ５３ｂとを備え、給湯制御部４２は、浴水追い焚き装置８０による追い焚きと、暖房装置６０・７０による暖房とを並行して行う状況において、供給温度サーミスタ５３ａで検出される供給温度が戻り温度サーミスタ５３ｂで検出される戻り温度よりも低くなった場合、第３循環ポンプ３８による流体循環を停止するようにしている。
【００７３】
これによれば、暖房回路３６・３７での供給温度が戻り温度よりも低くなる場合は、第３循環ポンプ３８による流体循環を停止することにより、暖房装置６０・７０への給熱を抑えることができる。
【００７４】
また、給湯制御部４２は、供給温度サーミスタ５３ａで検出される供給温度が戻り温度サーミスタ５３ｂで検出される戻り温度よりも低くなって第３循環ポンプ３８による流体循環を停止させた場合、所定時間経過後に第３循環ポンプ３８による流体循環を再開するようにしている。これによれば、所定時間毎に温度状況をチェックすることとなり、その繰り返しの中で暖房装置６０・７０での供給温度が戻り温度よりも低くなるような状況がなくなれば、自然に通常の暖房状態に復帰することとなる。
【００７５】
（第２実施形態）
図３は、本発明の第２実施形態における給湯制御部４２の制御を示すフローチャートである。先ず、ステップＳ２１では、追い焚き運転と暖房運転とを併用する運転状態であるか否かの判定を行う。その判定結果がＮＯで、追い焚き運転もしくは暖房運転の単独運転状態であればリターンして本フローチャートを繰り返す。そして、ステップＳ２１での判定結果がＹＥＳで、追い焚き運転と暖房運転とを併用する運転状態となった場合にはステップＳ２２へと進む。
【００７６】
ステップＳ２２では、供給温度サーミスタ５３ａで検出される暖房機への往き温度が、戻り温度サーミスタ５３ｂで検出される暖房機からの戻り温度よりも低いか否かの判定を行う。その判定結果がＮＯで、往き温度が戻り温度よりも高い状態であればリターンして本フローチャートを繰り返す。そして、ステップＳ２２での判定結果がＹＥＳで、往き温度が戻り温度よりも低い状態となった場合にはステップＳ２３へと進む。ステップＳ２３では、暖房二次側回路の循環手段である第３循環ポンプ３８の回転数を低減させる。
【００７７】
ステップＳ２４では、暖房機への往き温度が戻り温度よりも高くなったか否かの判定を行う。その判定結果がＮＯで、往き温度が戻り温度よりも低い状態であればリターンして本ステップを繰り返す。そして、ステップＳ２４での判定結果がＹＥＳで、往き温度が戻り温度よりも高い状態となった場合にはステップＳ２５へと進む。ステップＳ２５では、低減させていた第３循環ポンプ３８の回転数を通常に戻す。そして、リターンして本フローチャートを繰り返すものである。
【００７８】
これは、追い焚きと暖房との併用運転で、暖房への往き温度が戻り温度よりも低い状態となる場合は暖房側の第３循環ポンプ３８を減速させて給熱量を減らす作動となり、時間が経過して暖房への往き温度が戻り温度よりも高い状態となれば通常の運転状態とするものである。
【００７９】
次に、本実施形態での特徴と、その効果について述べる。先ず、暖房回路３６・３７には、流体を循環させる第３循環ポンプ３８と、暖房装置６０・７０へ供給する流体の温度を検出する供給温度サーミスタ５３ａと、暖房装置６０・７０から戻る流体の温度を検出する戻り温度サーミスタ５３ｂとを備え、給湯制御部４２は、浴水追い焚き装置８０による追い焚きと、暖房装置６０・７０による暖房とを並行して行う状況において、供給温度サーミスタ５３ａで検出される供給温度が戻り温度サーミスタ５３ｂで検出される戻り温度よりも低くなった場合、第３循環ポンプ３８による流体循環を低く抑えるようにしている。
【００８０】
これによれば、暖房回路３６・３７での供給温度が戻り温度よりも低くなる場合は、第３循環ポンプ３８による流体循環を低く抑えることにより、暖房装置６０・７０への給熱を抑えることができる。
【００８１】
また、給湯制御部４２は、供給温度サーミスタ５３ａで検出される供給温度が戻り温度サーミスタ５３ｂで検出される戻り温度よりも低くなって第３循環ポンプ３８による流体循環を低く抑えた場合、供給温度サーミスタ５３ａで検出される供給温度が戻り温度サーミスタ５３ｂで検出される戻り温度よりも高くなったときに通常の流体循環に復帰させるようにしている。
【００８２】
これによれば、暖房装置６０・７０での供給温度が戻り温度よりも低くなるような状況がなくなり次第、自然に通常の暖房状態に復帰することとなる。
【００８３】
（第３実施形態）
図４は、本発明の第３実施形態における給湯制御部４２の制御を示すフローチャートである。先ず、ステップＳ３１では、追い焚き運転と暖房運転とを併用する運転状態であるか否かの判定を行う。その判定結果がＮＯで、追い焚き運転もしくは暖房運転の単独運転状態であればリターンして本フローチャートを繰り返す。そして、ステップＳ３１での判定結果がＹＥＳで、追い焚き運転と暖房運転とを併用する運転状態となった場合にはステップＳ３２へと進む。
【００８４】
ステップＳ３２では、浴水温度サーミスタ５５で検出される浴水温度が、所定温度よりも低いか否かの判定を行う。その判定結果がＮＯで、浴水温度が所定温度よりも高い状態であればリターンして本フローチャートを繰り返す。そして、ステップＳ３２での判定結果がＹＥＳで、浴水温度が所定温度よりも低い状態であった場合にはステップＳ３３へと進む。ステップＳ３３では、暖房二次側回路の循環手段である第３循環ポンプ３８を停止させる。
【００８５】
ステップＳ３４では、浴水温度が所定温度よりも高くなったか否かの判定を行う。その判定結果がＮＯで、浴水温度が所定温度よりも低い状態であればリターンして本ステップを繰り返す。そして、ステップＳ３４での判定結果がＹＥＳで、浴水温度が所定温度よりも高い状態となった場合にはステップＳ３５へと進む。ステップＳ３５では、停止させていた第３循環ポンプ３８の回転数の運転を再開する。そして、リターンして本フローチャートを繰り返すものである。
【００８６】
これは、追い焚きと暖房との併用運転で、浴槽８９内の浴水温度を検出し、浴水温度が所定温度よりも低く、暖房回路３６・３７で吸熱が生じそうな場合は、暖房側の第３循環ポンプ３８を停止させて給熱を停止する作動となり、時間が経過して浴水温度が所定温度以上となれば通常の運転状態とするものである。尚、第２実施形態のように第３循環ポンプ３８の回転数を低減する作動としても良い。
【００８７】
次に、本実施形態での特徴と、その効果について述べる。先ず、追い焚き回路３４・３５には、浴槽８９から戻る浴水の温度を検出する浴水温度サーミスタ５５と、暖房回路３６・３７には、流体を循環させる第３循環ポンプ３８とを備え、給湯制御部４２は、浴水追い焚き装置８０による追い焚きと、暖房装置６０・７０による暖房とを並行して行う状況において、浴水温度サーミスタ５５で検出される浴水温度が所定温度よりも低い場合、第３循環ポンプ３８による流体循環を停止するか、もしくは低く抑えるようにしている。
【００８８】
これによれば、浴水温度が所定温度よりも低い場合は、暖房回路３６・３７での供給温度が戻り温度よりも低くなる可能性が高いため、第３循環ポンプ３８による流体循環を停止するか、もしくは低く抑えることにより、暖房装置６０・７０への給熱を抑えることができる。
【００８９】
また、給湯制御部４２は、浴水温度サーミスタ５５で検出される浴水温度が所定温度よりも低く、第３循環ポンプ３８による流体循環を停止するか、もしくは低く抑えた場合、浴水温度サーミスタ５５で検出される浴水温度が所定温度よりも高くなったときに通常の流体循環に復帰させるようにしている。これによれば、暖房回路３６・３７での供給温度が戻り温度よりも低くなるような状況がなくなり次第、自然に通常の暖房状態に復帰することとなる。
【００９０】
（その他の実施形態）
上述の実施形態では、冷媒に二酸化炭素を用いた超臨界のヒートポンプ熱源機２０を加熱装置として説明したが、これに限らず、フロンや代替フロンなどの冷媒を用いる一般的なヒートポンプサイクルであっても良いし、これらの他に、太陽熱・ガス・液体燃料による給湯機や湯沸かし機などの加熱手段と貯湯タンクとを組み合わせた給湯装置であっても良い。また、水道水などを導入し、貯湯タンク内で電気ヒータなどにより加熱して高温の給湯用水として貯えるものであっても良い。また、上述の実施形態では、暖房ユニット７０を温風機で構成したが、これらの他に浴室乾燥機や衣類乾燥機であっても良い。
【図面の簡単な説明】
【００９１】
【図１】本発明の実施形態に係る貯湯式多機能給湯装置の全体構成を示す模式図である。
【図２】本発明の第１実施形態における給湯制御部４２の制御を示すフローチャートである。
【図３】本発明の第２実施形態における給湯制御部４２の制御を示すフローチャートである。
【図４】本発明の第３実施形態における給湯制御部４２の制御を示すフローチャートである。
【図５】問題を説明する模式図であり、（ａ）は追い焚きする浴水温度が４０℃の例、（ｂ）は追い焚きする浴水温度が２０℃の例である。
【符号の説明】
【００９２】
１０…貯湯タンク
２０…ヒートポンプ熱源機（加熱装置）
３０…熱交換器
３１…一次側回路
３２…追い焚き用熱交換部（二次側回路）
３３…暖房用熱交換部（二次側回路）
３４…追い焚き往き管（追い焚き回路）
３５…追い焚き戻り管（追い焚き回路）
３６…暖房往き管（暖房回路）
３７…暖房戻り管（暖房回路）
３８…第３循環ポンプ（二次側循環手段）
４２…給湯制御部（制御手段）
５３ａ…供給温度サーミスタ（供給温度検出手段）
５３ｂ…戻り温度サーミスタ（戻り温度検出手段）
５５…浴水温度サーミスタ（浴水温度検出手段）
６０…床暖房ユニット（暖房装置）
７０…暖房ユニット（暖房装置）
８０…浴水追い焚き装置
８９…浴槽
【図１】
2006118815.tif 000003
【図２】
2006118815.tif 000004
【図３】
2006118815.tif 000005
【図４】
2006118815.tif 000006
【図５】
2006118815.tif 000007